(57)【要約】【課題】広告情報のような画像情報を、これが表示される場所・地域に対応させ、当該場所・地域によりふさわしい画像情報を、ファッション性が高められたディスプレイ手段で表示する。【解決手段】携帯情報端末と、インターネットに接続されているサーバ装置との間で通信回線を介して交信し、携帯情報端末の位置情報で特定される位置が存在する領域に対応する情報を携帯情報端末がサーバ装置から取得し、当該取得した情報を、画像情報を取得して表示する機能を有する装飾表示手段に当該携帯情報端末から出力し、携帯情報端末の位置情報で特定される位置に対応する動画像又は静止画像を装飾表示手段に表示させるシステムと方法。【選択図】図１０【特許請求の範囲】
【請求項１】
画像情報を取得して表示する機能を有する装飾表示手段と、
当該装飾表示手段に付設されていて、当該装飾表示手段に対して情報を出力する情報チップとからなり、
前記装飾表示手段は、前記情報チップから出力された情報に基づき、動画像又は静止画像を表示する
ことを特徴とした画像情報表示システム。
【請求項２】
画像情報を取得して表示する機能を有する装飾表示手段と、
インターネットに接続されていて、携帯情報端末との間で通信回線を介した交信を行って前記装飾表示手段に表示される情報を当該携帯情報端末に送信するサーバ装置と、
当該サーバ装置との間で通信回線を介した交信を行って、当該サーバ装置から送信される情報を取得すると共に、当該サーバ装置から取得した前記情報を前記装飾表示手段に出力する携帯情報端末とからなり、
前記装飾表示手段は、前記携帯情報端末から出力された情報に基づき、動画像又は静止画像を表示する
ことを特徴とした画像情報表示システム。
【請求項３】
前記携帯情報端末は、
前記サーバ装置から取得し前記携帯情報端末の記憶手段に記憶しておいた情報を前記装飾表示手段へ出力する、又は、
前記サーバ装置から情報を受信しながら当該受信している情報を前記装飾表示手段へ出力する
ものであることを特徴とする請求項２記載の画像情報表示システム。
【請求項４】
前記携帯情報端末はGPSを用いて自装置の位置を特定する位置情報特定手段と、当該位置情報特定手段によって特定された自装置の位置情報を送信する位置情報送信手段を備えており、
前記サーバ装置は前記帯情報端末の位置情報送信手段から送信された位置情報を取得する携帯情報端末位置情報取得手段と、
当該携帯情報端末位置情報取得手段で取得した携帯情報端末の位置情報で特定される位置が存在する領域に対応する情報を選択し、これを前記携帯情報端末に送信する情報にする処理を行う送信情報選択手段とを備えている
ことを特徴とする請求項２又は３記載の画像情報表示システム。
【請求項５】
前記送信情報選択手段は、前記携帯情報端末から取得したその位置情報で特定される位置があらかじめ定めている領域の中に含まれている間、前記携帯情報端末に送信する情報を、当該領域に対応する情報にする処理を行う
ことを特徴とする請求項４記載の画像情報表示システム。
【請求項６】
前記サーバ装置は、前記携帯情報端末に同一の情報を送信している時間を測定し、当該測定時間に対応させて、前記携帯情報端末を所持している者に支払われる料金を計算する第一の支払い料金計算処理部を備えている
ことを特徴とする請求項３乃至５のいずれか一項記載の画像情報表示システム。
【請求項７】
前記サーバ装置は、前記携帯情報端末に送信する情報の種類に応じて前記携帯情報端末を所持している者に支払われる料金を計算する第二の支払い料金計算処理部を備えている
ことを特徴とする請求項３乃至５のいずれか一項記載の画像情報表示システム。
【請求項８】
画像情報を取得して表示する機能を有する装飾表示手段は、
ディスプレイ手段と、当該装飾表示手段が取得した情報を当該ディスプレイ手段に画像として再生させる画像情報再生手段とを備えた、あるいは、
画像情報受信機能及び画像情報再生機能を有するディスプレイ手段を備えた
装身具、服飾物、装飾具、包装容器、室内装飾物、室外装飾物、カード、運動具又は玩具の中のいずれかであることを特徴とする請求項１乃至７のいずれか一項記載の画像情報表示システム。
【請求項９】
画像情報を取得して表示する機能を有する装飾表示手段に対して当該装飾表示手段に付設されている情報チップから出力することにより、又は、
携帯情報端末と、インターネットに接続されているサーバ装置との間で交信を行って、当該サーバ装置から当該携帯情報端末に送信される情報を当該携帯情報端末で取得し、当該取得した情報を当該携帯情報端末から前記装飾表示手段に出力することにより、若しくは、
前記携帯情報端末が取得している情報を前記携帯情報端末から前記装飾表示手段に出力することにより、
前記装飾表示手段に動画像又は静止画像を表示させる
ことを特徴とした画像情報表示方法。
【請求項１０】
前記サーバ装置が前記携帯情報端末からその位置情報を取得し、
前記サーバ装置から前記携帯情報端末に情報を送信する際に、当該位置情報で特定される位置が存在する領域に対応する情報を前記携帯情報端末に送信し、
前記携帯情報端末が当該携帯情報端末の位置情報で特定される位置が存在する領域に対応する情報を取得し、当該取得した情報を当該携帯情報端末から前記装飾表示手段に出力することにより、
前記装飾表示手段に、前記携帯情報端末の位置情報で特定される位置に対応する動画像又は静止画像を表示させる
ことを特徴とした請求項９記載の画像情報表示方法。
【請求項１１】
前記サーバ装置は、前記携帯情報端末から取得したその位置情報で特定される位置があらかじめ定めている領域の中に含まれている間、当該領域に対応する情報を前記携帯情報端末に送信することを特徴とする請求項１０記載の画像情報表示方法。
【請求項１２】
前記サーバ装置が前記携帯情報端末に同一の情報を送信している時間を測定し、当該測定時間に対応させて、前記携帯情報端末を所持している者に支払われる料金が計算される
ことを特徴とする請求項９乃至１１のいずれか一項記載の画像情報表示方法。
【請求項１３】
前記サーバ装置が前記携帯情報端末に送信する情報の種類に応じて前記携帯情報端末を所持している者に支払われる料金が計算される
ことを特徴とする請求項９乃至１１のいずれか一項記載の画像情報表示方法。
【請求項１４】
画像情報を取得して表示する機能を有する装飾表示手段は、
ディスプレイ手段と、前記情報チップ又は携帯情報端末から取得した情報を当該ディスプレイ手段に画像として再生させる画像情報再生手段とを備えた、た、あるいは、
画像情報受信機能及び画像情報再生機能を有するディスプレイ手段を備えた
装身具、服飾物、装飾具、包装容器、室内装飾物、室外装飾物、カード、運動具又は玩具の中のいずれかであることを特徴とする請求項９乃至１３のいずれか一項記載の画像情報表示方法。
【発明の詳細な説明】
【技術分野】
【０００１】
この発明は画像情報を取得して表示する機能を有する装飾表示物、例えば、画像情報を取得して表示する機能を有する装身具、装飾具、服飾物（例えば、衣服）、包装容器（例えば、ケース）、室内装飾物、室外装飾物、カード、運動具又は玩具に、インターネット等のネットワークを介して取得、等した画像情報（動画像、静止画像）や、文字情報などを、任意に、又は、選択的に、表示する画像情報表示システム及び画像情報表示方法に関する。特に、人間が身に着けている、あるいは所持している装身具、服飾物のように、当該人間が移動することに連れて所在位置が変動する装身具、服飾物などに広告情報である画像情報を表示させる画像情報表示システム及び画像情報表示方法に関する。
【背景技術】
【０００２】
従来、ネットワーク等を介して取得、等した画像情報を配信する方法、システムとして、バッグの内部空間に配備されている再生装置のディスプレーを当該バッグの開口窓を通して外部から見えるようにしたバックパック装置が提案されている（実用新案登録第３０６７５１４号）。【０００３】
また、データを配信するスケジュールと、配信するデータの蓄積及び管理を行うデータサーバと、インターネットを介して当該データサーバにアクセスし、データを取得してプロジェクターに当該を画像表示する機能を有する表示端末と、当該表示端末の稼動状態の監視とリモート操作を行うリモート管理端末からなる、広告リソース一元管理配信システムが提案されている（特開２００２−１５２６４）。
【発明の開示】
【発明が解決しようとする課題】
【０００４】
画像情報（動画像、静止画像）をインターネットを利用して、種々の場所に、種々の形態で表示する点に関しては前述した従来の技術に提案されている。【０００５】
しかし、画像情報を表示するディスプレイ手段を装身具、服飾物（例えば、衣服）などとしてファッション性を高め、このようにファッション性が高められたディスプレイ手段を用い、広告情報、例えば、当該ファッション性が高められたディスプレイ手段に関連するファッションに関する画像情報を、種々の場所で表示できるようにする点に関しては改善する余地があった。【０００６】
また、前記の広告情報のような画像情報を、これが表示される場所・地域に対応させ、当該場所・地域によりふさわしい画像情報が、ファッション性が高められたディスプレイ手段で表示されるようにする点、このような画像情報をより訴求力のある、表示するにふさわしい場所・地域で表示するインセンティブを高める工夫に関しては改善する余地があった。【０００７】
そこで、この発明は、画像情報（動画像、静止画像）をインターネットを利用して、種々の場所に、種々の形態で表示するにあたって、画像情報を表示するディスプレイ手段を装身具、服飾物（例えば、衣服）などとしてファッション性を高めることを目的としている。【０００８】
そして、このようにファッション性が高められたディスプレイ手段を用い、広告情報、例えば、当該ファッション性が高められたディスプレイ手段に関連するファッションに関する画像情報（動画像、静止画像）を、種々の場所で表示できるようにすることを目的にしている。【０００９】
更に、前記の広告情報のような画像情報を、これが表示される場所・地域に対応させ、当該場所・地域によりふさわしい画像情報が、ファッション性が高められたディスプレイ手段で表示されるようにし、このような画像情報をより訴求力のある、表示するにふさわしい場所・地域で表示するインセンティブを高めることを目的にしている。
【課題を解決するための手段】
【００１０】
前記目的を達成するためになされた本願の請求項１に係る発明は、画像情報を取得して表示する機能を有する装飾表示手段と、当該装飾表示手段に付設されていて、当該装飾表示手段に対して情報を出力する情報チップとからなり、前記装飾表示手段は、前記情報チップから出力された情報に基づき、動画像又は静止画像を表示することを特徴とした画像情報表示システムである。【００１１】
請求項２に係る発明は、画像情報を取得して表示する機能を有する装飾表示手段と、  インターネットに接続されていて、携帯情報端末との間で通信回線を介した交信を行って前記装飾表示手段に表示される情報を送信するサーバ装置と、当該サーバ装置との間で通信回線を介した交信を行って、当該サーバ装置から送信される情報を取得すると共に、当該サーバ装置から取得した前記情報を前記装飾表示手段に出力する携帯情報端末とからなり、前記装飾表示手段は、前記携帯情報端末から送信された情報に基づき、動画像又は静止画像を表示することを特徴とした画像情報表示システムである。【００１２】
請求項３に係る発明は、請求項２記載の画像情報表示システムにおいて、前記携帯情報端末は、前記サーバ装置から取得し前記携帯情報端末の記憶手段に記憶しておいた情報を前記装飾表示手段へ出力する、又は、前記サーバ装置から情報を受信しながら当該受信している情報を前記装飾表示手段へ出力する形態になっているものである。【００１３】
請求項４に係る発明は、請求項２又は３記載の画像情報表示システムにおいて、前記携帯情報端末はGPS（Global Positioning System）を用いて自装置の位置を特定する位置情報特定手段と、当該位置情報特定手段によって特定された自装置の位置情報を送信する位置情報送信手段を備えており、前記サーバ装置は前記帯情報端末の位置情報送信手段から送信された位置情報を取得する携帯情報端末位置情報取得手段と、当該携帯情報端末位置情報取得手段で取得した携帯情報端末の位置情報で特定される位置が存在する領域に対応する情報を選択し、これを前記携帯情報端末に送信する情報にする処理を行う送信情報選択手段とを備えている形態になっているものである。【００１４】
請求項５に係る発明は、請求項４記載の画像情報表示システムにおいて、前記送信情報選択手段は、前記携帯情報端末から取得したその位置情報で特定される位置があらかじめ定めている領域の中に含まれている間、前記携帯情報端末に送信する情報を、当該領域に対応する情報にする処理を行う形態になっているものである。【００１５】
請求項６に係る発明は、請求項３乃至５のいずれか一項記載の画像情報表示システムにおいて、前記サーバ装置は、前記携帯情報端末に同一の情報を送信している時間を測定し、当該測定時間に対応させて、前記携帯情報端末を所持している者に支払われる料金を計算する第一の支払い料金計算処理部を備えている形態になっているものである。【００１６】
請求項７に係る発明は、請求項３乃至５のいずれか一項記載の画像情報表示システムにおいて、前記サーバ装置は、前記携帯情報端末に送信する情報の種類に応じて前記携帯情報端末を所持している者に支払われる料金を計算する第二の支払い料金計算処理部を備えている形態になっているものである。【００１７】
請求項８に係る発明は、請求項１乃至７のいずれか一項記載の画像情報表示システムにおいて、画像情報を取得して表示する機能を有する装飾表示手段は、ディスプレイ手段と、当該装飾表示手段が取得した情報を当該ディスプレイ手段に画像として再生させる画像情報再生手段とを備えた、あるいは、画像情報受信機能及び画像情報再生機能を有するディスプレイ手段を備えた、装身具、服飾物（例えば、衣服）、装飾具、包装容器（例えば、ケース）、室内装飾物、室外装飾物、カード、運動具又は玩具の中のいずれかであることを特徴とするものである。【００１８】
請求項９に係る発明は、画像情報を取得して表示する機能を有する装飾表示手段に対して当該装飾表示手段に付設されている情報チップから出力することにより、又は、携帯情報端末と、インターネットに接続されているサーバ装置との間で交信を行って、当該サーバ装置から当該携帯情報端末に送信される情報を当該携帯情報端末で取得し、当該取得した情報を当該携帯情報端末から前記装飾表示手段に出力することにより、若しくは、前記携帯情報端末が取得している情報を前記携帯情報端末から前記装飾表示手段に出力することにより、前記装飾表示手段に動画像又は静止画像を表示させることを特徴とした画像情報表示方法である。【００１９】
この請求項９に係る本発明の画像情報表示方法は、前述した請求項１〜３のいずれかに記載されている本発明の画像情報表示システムが実施されることによって実行される。【００２０】
請求項１０に係る発明は、請求項９記載の画像情報表示方法において、前記サーバ装置が前記携帯情報端末からその位置情報を取得し、前記サーバ装置から前記携帯情報端末に情報を送信する際に、当該位置情報で特定される位置が存在する領域に対応する情報を前記携帯情報端末に送信し、前記携帯情報端末が当該携帯情報端末の位置情報で特定される位置が存在する領域に対応する情報を取得し、当該取得した情報を当該携帯情報端末から前記装飾表示手段に出力することにより、前記装飾表示手段に、前記携帯情報端末の位置情報で特定される位置に対応する動画像又は静止画像を表示させることを特徴としたものである。【００２１】
この請求項１０に係る本発明の画像情報表示方法は、前述した請求項４に記載されている本発明の画像情報表示システムが実施されることによって実行される。【００２２】
請求項１１に係る発明は、請求項１０記載の画像情報表示方法において、前記サーバ装置は、前記携帯情報端末から取得したその位置情報で特定される位置があらかじめ定めている領域の中に含まれている間、当該領域に対応する情報を前記携帯情報端末に送信することを特徴とするものである。【００２３】
この請求項１１に係る本発明の画像情報表示方法は、前述した請求項５に記載されている本発明の画像情報表示システムが実施されることによって実行される。【００２４】
請求項１２に係る発明は、請求項９乃至請求項１１のいずれか一項記載の画像情報表示方法において、前記サーバ装置が前記携帯情報端末に同一の情報を送信している時間を測定し、当該測定時間に対応させて、前記携帯情報端末を所持している者に支払われる料金が計算されることを特徴とするものである。【００２５】
この請求項１２に係る本発明の画像情報表示方法は、前述した請求項６に記載されている本発明の画像情報表示システムが実施されることによって実行される。【００２６】
請求項１３に係る発明は、請求項９乃至請求項１１のいずれか一項記載の画像情報表示方法において、前記サーバ装置が前記携帯情報端末に送信する情報の種類に応じて前記携帯情報端末を所持している者に支払われる料金が計算されることを特徴とするものである。【００２７】
この請求項１３に係る本発明の画像情報表示方法は、前述した請求項７に記載されている本発明の画像情報表示システムが実施されることによって実行される。【００２８】
請求項１４に係る発明は、請求項９乃至請求項１３のいずれか一項記載の画像情報表示方法において、画像情報を取得して表示する機能を有する装飾表示手段は、ディスプレイ手段と、前記情報チップ又は携帯情報端末から取得した情報を当該ディスプレイ手段に画像として再生させる画像情報再生手段とを備えた、あるいは、画像情報受信機能及び画像情報再生機能を有するディスプレイ手段を備えた、装身具、服飾物（例えば、衣服）、装飾具、包装容器（たとえば、ケース）、室内装飾物、室外装飾物、カード、運動具又は玩具の中のいずれかであることを特徴とするものである。【００２９】
この請求項１４に係る本発明の画像情報表示方法は、前述した請求項８に記載されている本発明の画像情報表示システムに対応するものである。【００３０】
以上の本発明のシステム、方法において、前記のディスプレイ手段には、種々の形態のものが含まれる。例えば、液晶表示画面や、有機ＥＬ、その他の受像板による表示端末が含まれる。これらの表示手段が、衣服や、鞄、靴、装身具、装飾具、包装容器、室内装飾物、室外装飾物、カード、運動具、玩具などの表面を形成するシート状の画像表示手段になっている場合も含まれる。【００３１】
前記において、インターネットに接続されているサーバ装置は、携帯情報端末との間でインターネット等の通信回線を介した交信を行って、当該携帯情報端末に画像情報を配信したり、当該携帯情報端末や前記の情報チップに記憶されていて、前記のディスプレイ手段に画像表示される画像情報を蓄積し、管理している。ここで、画像情報には、動画像や、静止画像に関するする情報、例えば、ファッションに関する画像情報、ファッションの広告に関する画像情報などが含まれる。【００３２】
また、このサーバ装置が行う管理には、前記の携帯情報端末がいかなる場所・地域に所在しているかに対応して配信する画像情報の種類を選択する管理動作が含まれる。また、配信する画像情報の種類に応じて、前記携帯情報端末を所持・所有していて前記ディスプレイ手段に配信された画像情報を表示させる者に支払う料金を計算する管理動作が含まれる。更に、いかなる場所、地域にいかなる画像情報が配信されて、表示されているか、それがどの程度の時間表示されているか等々に応じて、前記携帯情報端末を所持・所有していて前記ディスプレイ手段に配信された画像情報を表示させる者に支払う料金を計算する管理動作が含まれる。前記の携帯情報端末を所持・所有していて前記ディスプレイ手段に配信された画像情報を表示させる者に支払う料金には、例えば、広告情報を表示したことに対するアルバイト料が含まれる。【００３３】
また、前記において、携帯情報端末には、インターネット等のネットワークに接続されているサーバ装置に、インターネット等のネットワークを介して交信可能で、当該サーバ装置から取得した画像情報を記憶したり、前記のディスプレイ手段に無線、有線、赤外線などの手段によって当該画像情報を出力する機能を有する種々の形態のものが含まれる。例えば、このような機能を有する携帯電話、パーソナルコンピュータ、Personal Digital Assistance（PDA）、携帯電子ゲーム機、携帯デジタルオーディオプレイヤー、などが含まれる。【００３４】
かかる携帯情報端末は、人間が所持、所有している携帯電話とすることもできるし、前述した装飾表示手段の中に配備されている、あるいは装飾表示手段に付設されている形態にすることもできる。【００３５】
携帯情報端末が人間が所持、所有している携帯電話である場合には、携帯電話を所持、所有している人間が、携帯電話を操作して前記サーバ装置にアクセスし、所定の工程を実行するようになる。【００３６】
携帯情報端末が前述した装飾表示手段の中に配備されている、あるいは装飾表示手段に付設されている形態の場合には、通信回線や無線ＬＡＮ設備などを介して前記サーバ装置と、かかる携帯情報端末との間で交信が行われ、前記サーバ装置から所定の情報が当該携帯情報端末に配信されるようになる。【００３７】
携帯情報端末が前述した装飾表示手段の中に配備されている、あるいは装飾表示手段に付設されている形態の一例として、画像情報を取得して表示する機能を有する装飾表示手段が、画像情報受信機能及び画像情報再生機能を有するディスプレイ手段を備えた装身具、服飾物（例えば、衣服）等である場合が含まれる。【００３８】
本発明のシステム、方法において、画像情報を取得して表示する機能を有する装飾表示手段は、前述したように、ディスプレイ手段と、前記情報チップ又は携帯情報端末から取得した情報を当該ディスプレイ手段に画像として再生させる画像情報再生手段とを備えた、あるいは、画像情報受信機能及び画像情報再生機能を有するディスプレイ手段を備えた、装身具、服飾物（例えば、衣服）、装飾具、包装容器（たとえば、ケース）、室内装飾物、室外装飾物、カード、運動具又は玩具などからなる。【００３９】
ここで、装身具、服飾物（例えば、衣服）、装飾具には、例えば、衣服、靴、手袋などの人体着用物、ネックレス、ブローチ、ブレスレットその他の装身具なども含まれる。また、前記の室内装飾物には、額、壁掛けなども含まれる。前記の装飾具、運動具、玩具には、子供の遊び具なども含まれる。室外装飾物には、看板、外壁表示物などや、自動車、電車、航空機などの外装部なども含まれる。【００４０】
このような装飾表示手段の表面に、前述したように、液晶表示画面や、有機ＥＬ、その他の受像板による表示端末などからなるディスプレイ手段が配備される形態にすることができる。【００４１】
そこで、例えば、ファッションに関する映像を、装身具、衣服、室内装飾又は室外装飾として表示し、ファッションと広告とを兼用し、又は広告することによりファッション面を強調することができる。【００４２】
従来の装身具は、実物を身体に取り付けることにより装飾目的を達成できるが、この発明においては、前述した機能を有する装飾表示手段で事足りることになる。ベルト、ドレス、靴、帽子その他の装飾表示手段に、情報チップに蓄積されている画像情報、携帯情報端末が取得中の画像情報、携帯情報端末が取得していて記憶している画像情報を、自由に表示し、装飾に使用することができる。【００４３】
前記では装身具について説明したが、室内装飾でも、動画、音声、大型ビジョンなどによる室外装飾でも、前述した装飾表示手段の機能を有していれば自由に選択使用することができる。従って、額に名画を映像として保存し、定期的に映像を変えて模様替えをすることができる。この場合には、一旦受信すれば、そのまま僅かの電力で保持できる利点がある。【００４４】
前記において、例えば携帯電話による受信映像を、自己が身につけている装身具に表示する際には、カード又はパスワードを用いて受信し、これにより管理するようにもできる。こうして会員制にして、会員の誰でもインターネットから配信を受けることができる。【００４５】
なお、前述した本発明のシステム、方法において、ディスプレイ手段に表示される画像情報（動画像、静止画像）に重ねて、前記情報チップや携帯情報端末から出力、送信した、前記の画像情報以外の情報（例えば、文字情報）を表示させるようにすることもできる。【００４６】
例えば、前記のサーバ装置から取得した画像情報をディスプレイ手段に表示させながら、携帯情報端末からメッセージを送信し、画像情報（動画像、静止画像）にこのメッセージを重ねて前記ディスプレイ手段に表示させることができる。【００４７】
そこで、本発明のシステム、方法の利用を会員制にして提供することにより、契約された範囲内の会員に対し、自己のメッセージを表示することができるようにして、新しい広告形態にすることができる。例えば、所定の会員登録しているメンバーのみが、会員登録の際に取得したパスワードなどの情報を用いて、ディスプレイ手段に表示されている映像情報を自分の携帯電話などに取り込むことができるようにすることも可能である。また、契約した会員のみが、ファッションに関する映像などと共に、自己のメッセージ（広告でもよい）を同時に表示し、広告することができるようにすることもできる。また、会員制にすることにより、特定の情報又はファッション映像にのみ、メッセージ付与できるようにし、本発明のシステム、方法を提供する者が受任した広告のコントロールについて、問題を生じるおそれはない。【００４８】
一方、前述した情報チップ又は携帯情報端末と、装飾表示手段とを所有していて、本発明のシステム、方法をビジネスとして提供する者と契約している者は、前記装飾表示手段を所持して外出する。そして、外出先の街中などで、装飾表示手段に画像情報を表示させることによって、適当な広告料や、アルバイト料などを、前記本発明のシステム、方法をビジネスとして提供する者から貰えるようにすることができる。【００４９】
なお、前記において、装飾表示手段の駆動には電池や専用バッテリーを用いることもできる。【００５０】
装飾表示手段に表示される画像情報については、全地域同一の画像情報（たとえば、ファッションに関する広告情報）とすることもできるし、地域ごとに異なる画像情報にすることもできる。例えば県別（東京、神奈川、静岡などの県内のみ）、地域別（例えば関東圏、中部圏、近畿圏）などにより、地域等に密着した広告も可能である。このような場合には地域移動により画像が自動的に変わるようにすることができる。例えば、情報チップ、携帯情報端末の位置情報を常に取得できるようにしておいて、あらかじめ定めてある地域を通過する毎に、配信する広告情報を切替え、地域の特性に密着したより効果的な広告情報配信を行うことができる。
【発明の効果】
【００５１】
この発明によれば、画像情報（動画像、静止画像）をインターネットを利用して、種々の場所に、種々の形態で表示するにあたって、画像情報を表示するディスプレイ手段を装身具、服飾物（例えば、衣服）などとしてファッション性を高めることができる。【００５２】
また、このようにファッション性が高められたディスプレイ手段を用い、広告情報、例えば、当該ファッション性が高められたディスプレイ手段に関連するファッションに関する画像情報（動画像、静止画像）などを、種々の場所で表示できる。【００５３】
更に、前記の広告情報のような画像情報を、これが表示される場所・地域に対応させて、当該場所・地域によりふさわしい画像情報が、ファッション性が高められたディスプレイ手段で表示されるようにできる。そして、このような画像情報をより訴求力のある、表示するにふさわしい場所・地域で表示するインセンティブを高めることが可能になる。【００５４】
すなわち、この発明によれば、ファッションに関する情報、すなわち装飾情報を記憶し、管理しているサーバ装置であって、インターネットに接続可能にされているサーバ装置から、当該サーバ装置と相互に交信可能な携帯情報端末（例えば、双方向の通信機能を有する携帯電話）によって装飾情報を取得し、画像情報を当該携帯情報端末から取得して表示する機能を有する装飾表示物、例えば、自分が身につけている装身具・服飾物、室内装飾物、室外装飾物、カード又は玩具において静止画、あるいは動画として画像表示することができる。【００５５】
あるいは、ファッションに関する情報、すなわち装飾情報を記憶している情報チップから出力された画像情報を、前記の装飾表示物、例えば、自分が身につけている装身具・服飾物、室内装飾物、室外装飾物、カード又は玩具において静止画、あるいは動画として画像表示することができる。【００５６】
従って、簡単にファッションの変更、新装、模様替えができるなどの効果がある。【００５７】
また、従来考慮されていなかった身飾又は服飾、室内外装飾その他の家電製品なども前記の画像表示を応用し、契約広告することができる効果がある。【００５８】
また契約した会員は、画像情報を表示すると同時に、メッセージを送信し、自己の広告をする外に、他人の広告を受信し、自分が身につけている装身具・服飾物、室内装飾物、室外装飾物、カード又は玩具などの装飾表示物の画像表示手段に静止画、あるいは動画として画像表示することができる。すなわち、ディスプレイ示手段上で映像化することができる。
【発明を実施するための最良の形態】
【００５９】
以下、添付図面を参照してこの発明の好ましい実施形態を説明する。
【実施例１】
【００６０】
この発明の実施例を図１、２について説明する。【００６１】
靴１の側面にディスプレイ手段２を設ける。ディスプレイ手段２としては、例えば、シート状の液晶表示画面を用いることができる。不図示の携帯電話器で、インターネットのデータサーバから情報を受信し、これを靴１のディスプレイ手段２の入力部２ａに送信して、ディスプレイ手段２に表示させる。【００６２】
この実施例の場合には、靴１の表面に画像が表示される。そこで、例えば、有名なスポーツ選手の肖像を映像化したり、有名ブランドを表示することができる。なお、この場合には、データサーバは商品毎に商標、肖像、その他の映像使用の承諾を得ておく必要がある。【００６３】
入力部２ａを情報チップにしておき、この情報チップに蓄積されている情報をディスプレイ手段２に出力して表示することもできる。情報チップへは、外部から入力することにより画像情報（例えば、前記の有名なスポーツ選手の肖像）を当該情報チップの記憶部に記録させることができる。外部からの有線又は無線を介した指示により、情報チップからディスプレイ手段２を含んでいる装飾表示手段への出力（画像情報を表示させるための出力）を制御するような構成にすることもできる。【００６４】
また、情報チップが、無線ＬＡＮ設備から前記の画像情報を取得する形態にすることもできる。【００６５】
図１（ｂ）は、ベルト３にディスプレイ手段４を付けた場合を示す。このディスプレイ手段４には入力部４ａがあって、前記ディスプレイ手段２と同様に取り扱うことになる。入力部は情報チップを兼用しているものにすることもできる。【００６６】
図２（ａ）は、バッグ５の側面にディスプレイ手段６と情報チップ６ａを設けた場合であり、図２（ｂ）は額縁７の内面にディスプレイ手段８を設けた場合を示す。情報チップ６ａに記憶されている情報をディスプレイ手段８に表示する。情報チップ６ａが外部から無線又は有線で提供された情報を、情報チップ６ａの記憶部に記憶されていた情報に重ねてディスプレイ手段に表示するようにすることもできる。【００６７】
額縁７の場合には、上部にディスプレイ手段８ａを設け、他は一般の注意書、通達その他情報伝達用に使用することができる。図中５ａは下げ手、７ａは吊紐、８ｂは情報チップである。
【実施例２】
【００６８】
図３（ａ）図示の実施形態は、携帯電話１４のディスプレイ（液晶表示画面）１４ａが、本発明のシステムにおける装飾表示手段のディスプレイ手段である場合のものである。【００６９】
衣服１３の胸部に携帯電話１４を収容するポケット１５が設けられており、ポケット１５の前面には開口が設けられていて、この開口を介して、ポケット１５に収容された携帯電話１４のディスプレイ（液晶表示画面）１４ａが見えるようになっている。そこで、携帯電話１４のディスプレイ（液晶表示画面）１４ａに、不図示のサーバ装置から取得した、あるいは携帯電話１４の記憶部に記憶されている画像情報が表示される。これによって、携帯電話１４のディスプレイ（液晶表示画面）１４ａに表示される画像情報が、そのまま、衣服１３に現されているファッションの一部となる。【００７０】
図３（ｂ）の実施形態は、本発明のシステムにおける装飾表示手段のディスプレイ手段１６が、衣服１３の腰部に取付けられているものである。ディスプレイ手段１６を腰部に着用している人物１７が、ディスプレイ手段１６を腰部の前面又は後面に移動させ、そのディスプレイ手段１６の画面上に、不図示のサーバ装置から携帯電話１４を介して取得した画像情報を表示する。【００７１】
なお、ポケット部分や、ベルトの取り付け具部分にディスプレイ手段１６を配備するだけでなく、例えば、ディスプレイ手段１６をシート状の画像表示手段にして、衣服全部又は衣服の大部分をディスプレイ手段の画面とすることもできる。このようにすれば、衣服全部又は衣服の大部分に、不図示のサーバ装置から取得した、あるいは携帯電話１４の記憶部に記憶されている画像情報を表示させ、当該画像情報を衣服のファッションの一部にすることができる。また、画像情報が、広告情報、例えば、ファッションに関する広告情報であれば、衣服全部又は衣服の大部分を使用して広告情報を表示し、しかも、この衣服を着用している人が移動することにより、より多くの人に当該広告情報を視聴してもらうことができる。【００７２】
図３（ｃ）は、人物１７が背負うバックパックの肩ベルト２９の一方又は両方に携帯電話１４を収容するポケット１５を設けたものである。【００７３】
バックパックを背負っている人物１７の背後にいる人の目に入るバックパックの蓋部表面を、本発明のシステムにおける装飾表示手段のディスプレイ手段１６の画面部にしておく。そして、不図示のサーバ装置から取得した、あるいは携帯電話１４の記憶部に記憶されている画像情報をその画面に表示する。
【実施例３】
【００７４】
図４は、本発明のシステムにおける装飾表示手段のディスプレイ手段１８ａが、テーブル１８の表面に配備されているものである。不図示のサーバ装置から携帯電話を介して取得した画像情報を当該携帯電話からディスプレイ手段１８ａへ送信することにより、あるいは携帯電話の記憶部に記憶されている画像情報を当該携帯電話からディスプレイ手段１８ａへ送信することにより、画像情報１９をディスプレイ手段１８ａに表示させる。【００７５】
また、テーブル１８に付設されている情報チップ１２から、ディスプレイ手段１８ａへ、情報チップ１２に記憶されている画像情報を出力することにより、画像情報１９をディスプレイ手段１８ａに表示させることもできる。【００７６】
この場合、不図示の携帯電話から入力することにより、あるいは、情報チップ１２に記憶されている画像情報以外の情報、例えば、文字情報をディスプレイ手段１８ａへ出力することにより、広告文字２０を画像情報１９に重ねて表示させることもできる。これによって、随時新しい広告、例えば、文字情報による広告を表示させることができる。例えば、テーブル１８をレストランのテーブルに用いれば、テーブル型の広告表示器具・装置として使うことができる。また、情報チップ１２をテーブルの裏面に設置しておき、スイッチ１１のＯＮによりディスプレイ手段１８ａへの情報出力を行うことができる。【００７７】
前記においては会員制を採用することにより、特定の情報又はファッション映像にのみ、メッセージ付与できるようにしておけば、受任した広告のコントロールについて、問題を生じるおそれはない。【００７８】
また、所定の会員登録しているメンバーのみが、会員登録の際に取得したパスワードなどの情報を用いて、ディスプレイ手段１８ａに表示されている映像情報を自分の携帯電話などに取り込むことができるようにすることも可能である。【００７９】
図４（ｂ）はスケートボード２１へディスプレイ手段２２を設けたものである。図４（ｃ）はズボン２３へディスプレイ手段２４を設けた図である。図中、２２ａ、２４ａは情報チップであって、スイッチＯＮにより、チップ内の情報をディスプレイ手段２４に表示することができる。【００８０】
更に、図５は、本発明のシステムにおける装飾表示手段２５のディスプレイ手段２６の下部に、文字２７その他のメッセージの表示欄２８を表示できるようにしたものである。ディスプレイ手段２６に表示されるものが、例えば、広告情報である場合に、文字情報を追加して表示できるようにして広告価値を向上させることができる。このメッセージの表示欄２８は、携帯電話から入力可能とすれば、契約者が、契約期間中は任意に使用し得る自由広告欄とすることもできる。【００８１】
なお、図４（ａ）、（ｂ）、（ｃ）では、テーブル１８の表面の一部、スケートボード２１の一部にディスプレイ手段を配備しているが、これらの全面をディスプレイ手段にすることもできる。
【実施例４】
【００８２】
この発明の実施形態の一つを図６を参照して説明する。【００８３】
本発明のシステム、方法を提供する者は、本発明のシステム、方法により配信する広告情報などの画像情報がデータとして保存されていて、本発明のシステム、方法の各処理動作を管理するサーバ装置を、インターネット等のネットワークに接続可能に設置する。そして、本発明のシステム、方法を提供する者が、図６に符号２９で示す工程で、広告情報などの画像情報の配信依頼を受ける。【００８４】
所定の契約、料金支払い、等を経て、図６に符号３０で示す工程で、前記広告情報がファッションの一部として表示されるのにふさわしい服飾デザインを作製する。この服飾デザインは、衣服、鞄などからなり、ディスプレイ手段と、情報チップ又は携帯情報端末から取得した情報を当該ディスプレイ手段に画像として再生させる画像情報再生手段とを備えた装飾表示手段ということになる。【００８５】
次いで、例えば、前記の広告情報配信依頼主の了解を得た後、前記の服飾デザインをモデルａ、ｂ、ｃ、ｄ、ｅ・・・ｎに着用させて、契約期間中、予め決めた区域（例えば、銀座地域、渋谷地域、原宿地域など）を移動させる。【００８６】
前記の装飾表示手段である服飾デザイン、またはこれに画像情報たる広告情報を、自己が所有する携帯電話から送信して出力するモデルａ、ｂ、ｃ、ｄ、ｅ・・・ｎが所持、使用している携帯電話は、ＧＰＳ機能を備えている携帯電話にすることができる。【００８７】
これによって、不図示のサーバ装置で、モデルａ、ｂ、ｃ、ｄ、ｅ・・・ｎの行動状況、広告情報が表示されている時間、などを把握することが可能になる。そこで、本発明のシステム、方法を提供する者は、こうしてサーバ装置で取得した状況を定期的に前記の広告情報配信依頼主に報告することができる。【００８８】
前記において、各モデルａ、ｂ、ｃ、ｄ、ｅ・・・ｎが着用する服飾デザインＡ、Ｂ、Ｃ、Ｄ、Ｅ・・・Ｎは、ペーパーシート状のディスプレイ手段（液晶表示画面）が、衣服の一部（胸、袖、肩、背中その他にをつける）に取り付けられているものにすることができる。各モデルの各服飾デザインに表示される広告情報はそれぞれ異なるものにすることができ、また、定期的に変更することもできる。【００８９】
この実施例では、ディスプレイ手段に表示される画像情報は、服飾デザインＡ、Ｂ、Ｃ、Ｄ、Ｅ・・・Ｎのファッションの一部を構成するもの、服飾デザインＡ、Ｂ、Ｃ、Ｄ、Ｅ・・・Ｎの宣伝・広告をするもの、あるいは、これらの両方の目的を備えたものとすることができる。【００９０】
この実施例は、モデルが着用する服飾デザインについて述べたが、街中又は家庭内の適所に装飾表示手段のディスプレイ手段を配備すれば、適宜見ることができる。また情報チップを付属させておけば、当該情報チップからの出力により、情報チップに蓄積されていた情報を当該ディスプレイ手段へ表示することができる。
【実施例５】
【００９１】
この発明のシステムの一例を図７を用いて説明する。【００９２】
携帯情報端末に該当するパーソナルコンピュータ３３から、インターネット３２を介して、本発明のシステム、方法により配信する広告情報などの画像情報がデータとして保存されていて、本発明のシステム、方法の各処理動作を管理するサーバ装置３１にアクセスする。【００９３】
所定の会員登録などの契約を行って、会員登録した後、所定のパスワード等を利用して、サーバ装置３１から画像情報を取得する。【００９４】
前記のサーバ装置３１からの送信記録は、インターネット３２を介し、他のサーバ装置３５に記憶させて管理することができる。【００９５】
パーソナルコンピュータ３３で画像情報を取得した者は、ディスプレイ手段３４と、情報チップ又は携帯情報端末から取得した情報を当該ディスプレイ手段３４に画像として再生させる画像情報再生手段とを備えた装飾表示手段に、当該画像情報を、有線又は無線で、送信し、ディスプレイ手段３４に当該画像情報を表示させる。【００９６】
ディスプレイ手段３４への画像情報の表示は、パーソナルコンピュータ３３がサーバ装置３１から画像情報を取得している間に、同時に、パーソナルコンピュータ３３から、装飾表示手段に有線又は無線で画像情報を送信して行うことができる。【００９７】
また、サーバ装置３１から取得した画像情報をパーソナルコンピュータ３３の記憶部に記憶しておき、当該パーソナルコンピュータ３３を操作している者が、適宜、記憶されていた情報を、装飾表示手段に有線又は無線で送信することにより、ディスプレイ手段３４に画像情報を表示させることもできる。
【実施例６】
【００９８】
図８（ａ）は、ディスプレイ手段と、情報チップ又は携帯情報端末から取得した情報を当該ディスプレイ手段に画像として再生させる画像情報再生手段とを備えた装飾表示手段が、ＤＶＤなどのパッケージ３６に装着されている、ペーパーシート状のディスプレイ手段３７と、情報チップ３８とからなる場合を説明するものである。【００９９】
情報チップ３８の電源スイッチを入れると（例えば手動的又は光センサなどの出力）、情報チップ３８に記憶されている情報が、ディスプレイ手段３７に流れ、パッケージ３６に包装されているＤＶＤの内容概説又は、ＤＶＤの内容に関係ある画像３９がディスプレイ手段３７に表示される。【０１００】
図８（ｂ）は、ディスプレイ手段と、情報チップ又は携帯情報端末から取得した情報を当該ディスプレイ手段に画像として再生させる画像情報再生手段とを備えた装飾表示手段が、メッセージ４５の印刷されたカード４１に装着されている、シート状のディスプレイ手段４２と情報チップ４３とからなる場合を説明するものである。【０１０１】
このカード４１を開けば、情報チップ４３のスイッチがＯＮし、その情報がディスプレイ手段４２に映像４４として表示される。情報チップ４３に記憶されている文字情報（メッセージ）も表わすことができる。【０１０２】
なお、図８（ａ）、（ｂ）の場合に、動画などを、パーソナルコンピュータ、携帯電話などの携帯情報端末から、赤外線手段、無線、有線などによって送信して、任意の映像をディスプレイ手段３７、４２に表示させることもできる。【０１０３】
図９の実施例は、ディスプレイ手段と、情報チップ又は携帯情報端末から取得した情報を当該ディスプレイ手段に画像として再生させる画像情報再生手段とを備えた装飾表示手段が、犬のぬいぐるみからなる玩具４０の一部に取り付けられているディスプレイ手段３７と、情報チップ３８からなる場合を説明するものである。【０１０４】
例えば、無線での入力により情報チップ３８のスイッチを入れると、情報チップ３８に記憶されている情報がディスプレイ手段３７に表示される。また、情報チップ３８に記憶されている情報に音声情報も含まれているものとし、音声出力手段をディスプレイ手段３７に付設しておいて、動画などの画像情報とともに、音声情報が出力されるようにすることもできる。【０１０５】
例えば、玩具４０の使い方を説明する文字情報をディスプレイ手段３７に表示させることができる。また、玩具４０が移動可能なもの（動物玩具）ならば、その移動状態がディスプレイ手段３７に表示されるようにすることもできる。【０１０６】
更に、情報チップ３８に受信機能を設けておき、携帯電話などから送信した情報を受信し、ディスプレイ手段３７に表示させるようにすることもできる。
【実施例７】
【０１０７】
図１０、図１１、図１２（ａ）、（ｂ）を参照して、本発明のシステム、方法の他の実施形態を説明する。【０１０８】
本発明のシステム、方法により配信する広告情報などの画像情報がデータとして保存されていて、本発明のシステム、方法の各処理動作を管理するサーバ装置５０が、本発明のシステム、方法を提供する者によって、インターネット等のネットワーク７０に接続可能に設置されている。【０１０９】
携帯情報端末８０は、インターネット等のネットワーク７０に接続されているサーバ装置５０に、インターネット等のネットワーク７０を介して、双方向通信可能で、サーバ装置５０から取得した画像情報を記憶する機能を有している。また、携帯情報端末８０は、ディスプレイ手段（画像表示手段９１）と、情報チップ又は携帯情報端末から取得した情報をディスプレイ手段（画像表示手段９１）に画像として再生させる画像情報再生手段９２とを備えた装飾表示手段９０に、無線、有線、赤外線などの手段によって当該画像情報を送信する機能を有している。【０１１０】
この実施例では、携帯電話などからなる携帯情報端末８０は、GPS（Global Positioning System）を用いて自装置の位置を特定する位置情報特定手段８１と、位置情報特定手段８１によって特定された自装置の位置情報を送信する位置情報送信手段８２を備えている。【０１１１】
サーバ装置５０は以下に説明する携帯情報端末位置情報取得手段５１、送信情報選択手段５２、第一の支払い料金計算処理部５３、第二の支払い料金計算処理部５４を備えている。【０１１２】
携帯情報端末位置情報取得手段５１は、携帯情報端末８０の位置情報送信手段８２から送信された位置情報を取得する処理動作を行う。【０１１３】
送信情報選択手段５２は、携帯情報端末位置情報取得手段５１で取得した携帯情報端末８０の位置情報で特定される位置が存在する領域に対応する情報を選択し、これを携帯情報端末８０に送信する情報にする処理を行う。【０１１４】
また、送信情報選択手段５２は、更に、携帯情報端末８０から取得したその位置情報で特定される位置があらかじめ定めている領域の中に含まれている間、携帯情報端末８０に送信する情報を、当該領域に対応する情報にする処理を行う。【０１１５】
第一の支払い料金計算処理部５３は、携帯情報端末８０に同一の情報を送信している時間を測定し、当該測定時間に対応させて、携帯情報端末８０を所持している者に支払われる料金を計算する処理動作を行う。【０１１６】
第二の支払い料金計算処理部５４は、携帯情報端末８０に送信する情報の種類に応じて携帯情報端末８０を所持している者に支払われる料金を計算する処理動作を行う。【０１１７】
この実施例のシステムでは、画像情報を取得して表示する機能を有する装飾表示手段９０に対して、携帯情報端末８０から、当該携帯情報端末８０が通信回線７０を介してサーバ装置５０から取得した情報、または、通信回線７０を介してサーバ装置５０から取得していて携帯情報端末８０の記憶部に記憶されている情報を、装飾表示手段９０に送信することにより、装飾表示手段９０の画像表示手段９１に動画像又は静止画像を表示させることができる。【０１１８】
この場合、次のような工程によるものにすることもできる。【０１１９】
サーバ装置５０の携帯情報端末位置情報取得手段５１が、携帯情報端末８０の位置情報送信手段８２から送信された位置情報を取得する。【０１２０】
サーバ装置５０の送信情報選択手段５２が、携帯情報端末位置情報取得手段５１で取得した携帯情報端末８０の位置情報で特定される位置が存在する領域に対応する情報を、図１１に例示する位置情報データベースから選択し、これを携帯情報端末８０に送信する情報にする処理を行う。【０１２１】
こうして、サーバ装置５０から携帯情報端末８０に情報を送信する際に、前記の位置情報で特定される位置が存在する領域に対応する情報が携帯情報端末８０に送信される。【０１２２】
携帯情報端末８０はこの携帯情報端末８０の位置情報で特定される位置が存在する領域に対応する情報を取得し、当該取得した情報を携帯情報端末８０から装飾表示手段９０に送信する。【０１２３】
こうして、装飾表示手段９０に、携帯情報端末８０の位置情報で特定される位置に対応する動画像又は静止画像が表示される。【０１２４】
前記の工程において、送信情報選択手段５２が、更に、携帯情報端末８０から取得したその位置情報で特定される位置があらかじめ定めている領域の中に含まれている間、携帯情報端末８０に送信する情報を、当該領域に対応する情報にする処理を行うことにより、サーバ装置５０は、携帯情報端末８０から取得したその位置情報で特定される位置があらかじめ定めている領域の中に含まれている間、当該領域に対応する情報を携帯情報端末８０に送信するようにできる。【０１２５】
例えば、携帯情報端末８０が存在している地域が銀座エリアである場合に、情報Aがサーバ装置５０から送信され、携帯情報端末８０が存在している地域が渋谷エリアである場合に、情報Bがサーバ装置５０から送信されるようになっている場合、携帯情報端末８０から取得したその位置情報で特定される位置が銀座エリアであるときには、送信情報選択手段５２が行う処理動作により、画像情報データベース６１から情報Aが抽出され、携帯情報端末８０に情報Aが送信される。そして、携帯情報端末８０を所持している者が移動して渋谷エリアに入ったならば、送信情報選択手段５２が行う処理動作により、位置情報データベースを参照して送信する情報がBであることが把握され、携帯情報端末８０を所持している者が移動して渋谷エリアにいる限り、送信情報選択手段５２が行う処理動作により、画像情報データベース６１から情報Bが抽出され、携帯情報端末８０に情報Bが送信される。【０１２６】
更に、この工程の際に、第一の支払い料金計算処理部５３が行う処理動作により、携帯情報端末８０に同一の情報を送信している時間を測定し、当該測定時間に対応させて、携帯情報端末８０を所持している者に支払われる料金を計算するようにすることができる。【０１２７】
また、第二の支払い料金計算処理部５４が行う処理動作により、携帯情報端末８０に送信する情報の種類に応じて携帯情報端末８０を所持している者に支払われる料金を計算するようにすることもできる。【０１２８】
この、第一の支払い料金計算処理部５３、第二の支払い料金計算処理部５４が行う処理動作は、図１２（ａ）、（ｂ）に例示される料金データベースを参照して行うことができる。【０１２９】
本発明のシステム、方法を提供する者は、携帯情報端末８０、装飾表示手段９０の所有者・所持者と契約し、いかなる場所・地域で、いなかる画像情報を、いかなる時間表示したかに応じて、契約料金（例えば、アルバイト料金）を携帯情報端末８０、装飾表示手段９０の所有者・所持者に支払うようにすることができる。【０１３０】
このような契約にしておけば、携帯情報端末８０、装飾表示手段９０の所有者・所持者であって前記の契約を結んだ者は、装飾表示手段９０を所持して外出し、外出先の街中などで、装飾表示手段９０に画像情報を表示させる。そして、契約料金（例えば、アルバイト料金）の支払いを受けるにあたり、より有利な支払いを受けることを目的にして、広告依頼者が希望している場所・地域に行き、より長い時間、画像表示を行うようになる。【０１３１】
こうして、広告情報のような画像情報を、これが表示される場所・地域に対応させ、当該場所・地域によりふさわしい画像情報が、ファッション性が高められたディスプレイ手段で表示されるようにできる。そして、このような画像情報をより訴求力のある、表示するにふさわしい場所・地域で表示するインセンティブを高めることが可能になる。【０１３２】
以上説明した実施例では、携帯情報端末８０が、人間が所持、所有している携帯電話である場合について説明したが、携帯情報端末８０が、装飾表示手段９０の中に配備されている、あるいは装飾表示手段９０に付設されている形態にすることもできる。【０１３３】
この場合、装飾表示手段９０の中に配備されている、あるいは装飾表示手段９０に付設されている携帯情報端末８０は、前記と同様に、インターネット等のネットワーク７０に接続されているサーバ装置５０に、インターネット等のネットワーク７０を介して、双方向通信可能で、サーバ装置５０から取得した画像情報を記憶する機能を有している。また、携帯情報端末８０は、装飾表示手段９０に、無線、有線、赤外線などの手段によって当該画像情報を送信する機能を有している。そして、携帯情報端末８０は、GPSを用いて自装置の位置を特定する位置情報特定手段８１と、位置情報特定手段８１によって特定された自装置の位置情報を送信する位置情報送信手段８２を備えている。【０１３４】
そして、この装飾表示手段９０の中に配備されている、あるいは装飾表示手段９０に付設されている携帯情報端末８０は、通信回線７０や無線ＬＡＮ設備などを介してサーバ装置５０と双方向での情報の交信を行い、サーバ装置５０から取得した情報を、直ちに、装飾表示手段９０に画像情報として表示させる。【０１３５】
また、装飾表示手段９０を画像情報受信機能及び画像情報再生機能を有するディスプレイ手段を備えたものとすることもできる。この場合の画像情報受信機能は前述した装飾表示手段９０の中に配備されている、あるいは装飾表示手段９０に付設されている携帯情報端末８０と同様の機能を発揮するものである。そして、画像情報再生機能は、装飾表示手段９０が備えている画像情報再生手段９２と同様の機能を発揮するものである。【０１３６】
以上、添付図面を参照して本発明の好ましい実施形態を説明したが、本発明はかかる実施形態に限られるものではなく、特許請求の範囲の記載から把握される技術的範囲において種々の形態に変更可能である。
【図面の簡単な説明】
【０１３７】
【図１】（ａ）この発明のシステムにおける装飾表示手段が靴である場合を説明する図、（ｂ）この発明のシステムにおける装飾表示手段がベルトである場合を説明する図。
【図２】（ａ）この発明のシステムにおける装飾表示手段が鞄である場合を説明する図、（ｂ）この発明のシステムにおける装飾表示手段が額である場合を説明する図。
【図３】（ａ）この発明のシステムにおける装飾表示手段が衣服のポケット部に収納されている場合を説明する図、（ｂ）この発明のシステムにおける装飾表示手段が人体の腰部に装着されている場合を説明する図、（ｃ）この発明のシステムにおける装飾表示手段がバックパックである場合を説明する図。
【図４】（ａ）この発明のシステムにおける装飾表示手段がテーブルである場合を説明する図、（ｂ）この発明のシステムにおける装飾表示手段がスケートボードである場合を説明する図、（ｃ）この発明のシステムにおける装飾表示手段がズボンである場合を説明する図。
【図５】この発明のシステムにおける装飾表示手段における画像表示手段の一例を説明する図。
【図６】この発明のシステム、方法が実施される工程の概略を説明する図。
【図７】この発明のシステム、方法が実施される場合のシステム構成の概略を説明する図。
【図８】（ａ）この発明のシステムにおける装飾表示手段が商品の包装に取り付けられている状態を説明する図、（ｂ）この発明のシステムにおける装飾表示手段がカードに取り付けられている状態を説明する図。
【図９】この発明のシステムにおける装飾表示手段が玩具に取り付けられている状態を説明する図。
【図１０】この発明のシステム、方法が実施される場合のシステム構成の他の概略を説明する図。
【図１１】この発明のシステムにおけるサーバ装置に配備される位置情報データベースの一例を説明する図。
【図１２】（ａ）、（ｂ）は、この発明のシステムにおけるサーバ装置に配備される料金データベースの一例を説明する図。
【符号の説明】
【０１３８】
１  靴
２、４、６、８  ディスプレイ手段
３  ベルト
５  バッグ
７  額縁
１１  チェーン
１３  衣服
１４  携帯電話
１５  ポケット
１６、２２、２４  ディスプレイ手段
１７  人物
１８  テーブル
１９  映像
２０  広告文字
５０  サーバ装置
５１  携帯情報端末位置情報取得手段
５２  送信情報選択手段
５３  第一の支払い料金計算処理部
５４  第二の支払い料金計算処理部
６０  位置情報データベース
６１  画像情報データベース
６２  料金データベース
７０  通信回線
８０  携帯情報端末
８１  位置情報特定手段
８２  位置情報送信手段
９０  装飾表示手段
９１  ディスプレイ手段（画像表示手段）
９２  画像情報再生手段
【図１】
2006082971.tif 000002
【図２】
2006082971.tif 000003
【図３】
2006082971.tif 000004
【図４】
2006082971.tif 000005
【図５】
2006082971.tif 000006
【図６】
2006082971.tif 000007
【図７】
2006082971.tif 000008
【図８】
2006082971.tif 000009
【図９】
2006082971.tif 000010
【図１０】
2006082971.tif 000011
【図１１】
2006082971.tif 000012
【図１２】
2006082971.tif 000013
【国際調査報告】
2006082971.tif 000014
2006082971.tif 000015
2006082971.tif 000016
2006082971.tif 000017